(57)【特許請求の範囲】
【請求項１】
試験片の両端部を支持すべく所定のスパンを開けて対向配置された一対の曲げ支点と、その各曲げ支点により両端部が支持された試験片の上方から下降して当該試験片に曲げ負荷を加える曲げポンチを備えた曲げ試験機において、
上記ポンチに連動して上下動し、ポンチの下降時に上記一対の曲げ支点の周囲および上方を覆うための周壁および天井部を備えた飛散防止カバーと、上記一対の曲げ支点のスパン方向外側に配置された揺動自在の一対の試験片収集板と、その各試験片収集板を揺動させる駆動機構と、上記一対の曲げ支点の間に設けられた試験片回収口を有し、上記各試験片収集板は、飛散防止カバーの下降状態で各曲げ支点からスパン方向外側に略水平に広がる横板部と、その横板部の外側端部から立ち上がってその上端部が飛散防止カバーの天井部近傍にまで至る立ち上がり部を備えるとともに、飛散防止カバーの上昇時には上記横板部の外側端部が上昇する向きに揺動駆動され、横板部上に落下した試験済の試験片を上記試験片回収口内に滑落させるように構成されていることを特徴とする曲げ試験機。
【発明の詳細な説明】
【０００１】
【発明の属する技術分野】
本発明は、一対の曲げ支点により試験片の両端部を支えた状態で、その上方から曲げポンチを下降させて試験片に曲げ負荷を加える曲げ試験機に関し、特に、曲げ支点上への試験片のセットと、試験済みの試験片の回収を自動化した自動曲げ試験機への応用に適した曲げ試験機に関する。
【０００２】
【従来の技術】
曲げ試験機においては、通常、所定のスパンを開けて一対の曲げ支点を配置するとともに、試験片の両端部をその各曲げ支点で支えた状態で、試験片の中央部に曲げポンチを上方から下降させることによって、試験片に対して曲げ負荷を加える。
【０００３】
図４に従来の曲げ試験機の要部構成例を部分断面図で示す。この例において、一対の曲げ支点４１ａ，４１ｂはテーブル４２上に配置され、その上方に曲げポンチ４３が配置されている。曲げポンチ４３は、クロスヘッド等の移動部材４４にロードセル４５を介して取り付けられており、その移動部材４４が図４の状態から下降すことによって、曲げ支点４１ａ，４１ｂに両端部が支持された試験片Ｗに対して曲げ負荷を加える。
【０００４】
曲げポンチ４３には飛散防止カバー４６が装着されており、この飛散防止カバー４６は曲げポンチ４３の下降時に曲げ支点４１ａ，４１ｂ並びに試験片Ｗの周囲および上方を覆った状態となり、これによって曲げポンチ４３の下降により曲げ負荷が加えられた試験片Ｗが飛散することを防止するようになっている。
また、テーブル４２には、一対の曲げ支点４１ａ，４１ｂの間で開口する試験片回収口４７が形成されており、この試験片回収口４７はテーブル４２の下方に設けられた試験片回収ボックス４８に連通し、試験済みの試験片Ｗが破断片を含めて試験片回収口４７を介して試験片回収ボックス４８内に落下するように考慮されている。
【０００５】
また、このような曲げ試験機において、例えば真空引きされる吸盤を備えた搬送装置等を設けて、試験片Ｗを一対の曲げ支点４１ａ，４１ｂ上に順次自動的に搬送する自動曲げ試験機も実用化されている。
【０００６】
【発明が解決しようとする課題】
ところで、以上の従来の曲げ試験機においては、飛散防止カバー４６によって試験片Ｗの周囲への飛散を防止することができるものの、試験片Ｗの種類によっては、破断片が飛散防止カバー４６内の一定しない場所に飛散する可能性があり、試験片回収口４７以外のテーブル４２上や他の治具上に落下して、試験片回収ボックス４８内に回収できない可能性があった。
【０００７】
そのため、搬送装置を設けて試験片Ｗを順次自動的に曲げ支点４１ａ，４１ｂ上に搬送する自動曲げ試験機においては、試験済みの試験片やその破断片の回収が完全ではなくなり、長時間にわたって無人運転を行うことが困難であるという問題があった。
【０００８】
本発明の目的は、試験済みの試験片や破断片を確実に回収することができ、試験片の搬送装置とを組み合わせることによって、長期にわたって無人運転が可能な曲げ試験機を提供することにある。
【０００９】
【課題を解決するための手段】
上記の目的を達成するため、本発明の自動曲げ試験機は、試験片の両端部を支持すべく所定のスパンを開けて対向配置された一対の曲げ支点と、その各曲げ支点により両端部が支持された試験片の上方から下降して当該試験片に曲げ負荷を加える曲げポンチを備えた曲げ試験機において、上記ポンチに連動して上下動し、ポンチの下降時に上記一対の曲げ支点の周囲および上方を覆うための周壁および天井部を備えた飛散防止カバーと、上記一対の曲げ支点のスパン方向外側に配置された揺動自在の一対の試験片収集板と、その各試験片収集板を揺動させる駆動機構と、上記一対の曲げ支点の間に設けられた試験片回収口を有し、上記各試験片収集板は、飛散防止カバーの下降状態で各曲げ支点からスパン方向外側に位置して略水平に広がる横板部と、その横板部の外側端部から立ち上がってその上端部が飛散防止カバーの天井部近傍にまで至る立ち上がり部を備えるとともに、飛散防止カバーの上昇時には上記横板部の外側端部が上昇する向きに揺動駆動され、横板部上に落下した試験済の試験片を上記試験片回収口内に滑落させるように構成されていることによって特徴づけられる。
【００１０】
本発明は、下降状態の飛散防止カバーの内側に、当該飛散防止カバー内において試験済みの試験片やその破断片の飛散を更に規制して一対の試験片収集板上に落下させ、その試験片収集板を揺動させることによって試験片やその破断片を滑落させて確実に試験片回収口内に導こうとするものである。
【００１１】
すなわち、下降状態の飛散防止カバー内で一対の曲げ支点のスパン方向外側に広がりを持つ横板部と、その各横板部の外側端部で飛散防止カバーの天井部近傍にまで至る立ち上がり部を有する一対の試験片収集板を設けることにより、曲げ試験により飛散する試験片やその破断片は、飛散防止カバーと各試験片収集板の立ち上がり部に遮られて、各試験片収集板の横板部上に落下する。飛散防止カバーの上昇時に、つまり曲げ負荷を加えた後に曲げポンチが上昇するときに、各試験片収集板を外側端部が上昇する向きに揺動駆動すると、横板部上の試験片ないしはその破断片は当該横板部上を滑落して一対の曲げ支点間に形成されている試験片回収口内に落下し、確実な回収が可能となる。
【００１２】
【発明の実施の形態】
以下、図面を参照しつつ本発明の実施の形態について説明する。
図１は本発明の実施の形態の要部構成を示す部分断面図で、曲げポンチ３が試験片Ｗの接触する位置にまで下降した状態で示す図で、図２はそのＡ−Ａ断面図である。なお、図２においては、図面の煩雑化を避けるため曲げポンチ３およびカバー持ち上げフック６ａ，６ｂの図示を省略している。
【００１３】
一対の曲げ支点１ａ，１ｂはテーブル２上に所定のスパンを開けて配置されており、これらの曲げ支点１ａ，１ｂにより試験片Ｗの両端部が支持される。曲げ支点１ａ，１ｂの上方には曲げポンチ３が設けられており、この曲げポンチ３は、上下動するクロスヘッド４に対してロードセル５を介して固定され、クロスヘッド４の下降により試験片Ｗの中央部を押圧して曲げ負荷を加えることができる。なお、各曲げ支点１ａ，１ｂは、テーブル２内に設けられている移動機構（図示せず）によって互いに等距離ずつ接近・離隔し、スパンを変化させることができるようになっている。
【００１４】
クロスヘッド４には、曲げポンチ３を挟んでその両側にカバー持ち上げフック６ａ，６ｂが固定されており、これらに飛散防止カバー６が装着されている。飛散防止カバー６は、一対の曲げ支点１ａ，１ｂの周りおよび上方を囲む周壁６１および天井部６２とからなり、クロスヘッド４がある程度以上下降した状態においては、図１に示すようにテーブル２上によって支えられ、クロスヘッド４の上昇時には、カバー持ち上げフック６ａ，６ｂによって持ち上げられる。
【００１５】
テーブル２には、一対の曲げ支点１ａ，１ｂの間で開口する試験片回収口７が形成されており、テーブル２の下方には試験片回収ボックス８が配置されている。試験片回収ボックス８はその上端が開口し、その開口はテーブル２の試験片回収口７に連通している。
【００１６】
飛散防止カバー６の周壁６１は、その下降状態において、図２に示すように、曲げ支点１ａ，１ｂのスパン方向に直交する方向には各曲げ支点１ａ，１ｂに接近しており、曲げ支点１ａ，１ｂのスパン方向には、各曲げ支点１ａ，１ｂから所定距離だけ隔たっている。そして、曲げ支点１ａ，１ｂのスパン方向外側で、下降状態における飛散防止カバー６の内側に、一対の試験片収集板９ａ，９ｂが設けられている。
【００１７】
各試験片収集板９ａ，９ｂは、それぞれに対応する曲げ支点１ａ，１ｂに設けられている水平のピン９０ａ，９０ｂの周りに揺動自在に支持されている。各試験片収集板９ａ，９ｂは、それぞれピン９０ａ，９０ｂから曲げ支点１ａ，１ｂのスパン方向外側に広がる横板部９１ａ，９１ｂと、その外側端部から垂直に立ち上がる立ち上がり部９２ａ，９２ｂによって構成されており、横板部９１ａ，９１ｂの下方には収集板持ち上げシリンダ１１ａ，１１ｂが配置されている。
【００１８】
各収集板持ち上げシリンダ１１ａ，１１ｂは、そのピストンロッドＰＲが上方を向くように配置されており、各試験片収集板９ａ，９ｂは、横板部９１ａ，９１ｂの底面がそれぞれに対応する収集板持ち上げシリンダ１１ａ，１１ｂのピストンロッドＰＲの上端に密着する向きに引張コイルばねからなる戻しばね１２ａ，１２ｂによって付勢されている。
【００１９】
従って、各収集板持ち上げシリンダ１１ａ，１１ｂを駆動してピストンロッドＰＲを上昇させると、各試験片収集板９ａ，９ｂは立ち上がり部９２ａ，９２ｂ側が上昇する向きに揺動変位し、ピストンロッドＰＲを下降させるとその反対側に揺動変位する。
【００２０】
図１は各収集板持ち上げシリンダ１１ａ，１１ｂのピストンロッドＰＲを最下端まで下降させた状態を示し、その状態では、各試験片収集板９ａ，９ｂの横板部９１ａ，９１ｂが水平面に略沿った状態となり、立ち上がり部９２ａ，９２ｂが鉛直面に略沿った状態となる。また、各収集板持ち上げシリンダ１１ａ，１１ｂのピストンロッドＰＲを最上端まで上昇させた状態では、図３に要部構成図を示すように、横板部９１ａ，９１ｂはそれぞれ互いに対向して内側が下になるように傾斜する。
【００２１】
これらの各収集板持ち上げシリンダ１１ａ，１１ｂは飛散防止カバー６の上下動に連動し、飛散防止カバー６が上昇したときに各収集板持ち上げシリンダ１１ａ，１１ｂのピストンロッドＰＲが上昇し、下降したときには下降する。
【００２２】
また、以上の試験機本体に隣接して、例えば真空ポンプに連通して試験片Ｗを着脱自在に吸着可能な吸盤１３０を備えた搬送装置１３が配設されており、この搬送装置１３を駆動することにより、試験前の試験片Ｗを曲げ支点１ａ，１ｂ上に順次搬送することができる。
【００２３】
以上の実施の形態の自動運転時における動作について説明すると、曲げポンチ３が上昇した状態で、まず、搬送装置１３により試験片Ｗを曲げ支点１ａ，１ｂ上に搬送した後、曲げポンチ３が下降し、試験片Ｗに曲げ負荷を加える。このとき、飛散防止カバー６が曲げポンチ３とともに下降するとともに、その飛散防止カバー６内において、試験片収集板９ａ，９ｂが各横板部９１ａ，９１ｂが略水平で、立ち上がり部９２ａ，９２ｂが略鉛直な状態となる。従って、曲げ負荷により飛散する試験片Ｗないしはその破断片は、飛散防止カバー６と試験片収集板９ａ，９ｂの立ち上がり部９２ａ，９２ｂによってその飛散方向が規制され、全てが横板部９１ａ，９１ｂ上に落下する。
【００２４】
試験片Ｗに対する曲げ負荷後、曲げポンチ３および飛散防止カバー６が上昇するとともに、収集板持ち上げシリンダ１１ａ，１１ｂのピストンロッドＰＲが上昇し、試験片収集板９ａ，９ｂは横板部９１ａ，９１ｂが図３に示すように傾斜し、その上に載っている試験済みの試験片Ｗないしはその破断片は横板部９１ａ，９１ｂ上を滑落し、試験片回収口７を介して試験片回収ボックス８内に落下する。
【００２５】
以上の本発明の実施の形態によると、曲げ試験を行った後の試験片Ｗないしはその破断片は、その全てが試験片収集板９ａ，９ｂの横板部９１ａ，９１ｂの上に落下し、曲げポンチ３の上昇時にこれらの横板部９１ａ，９１ｂが傾斜することによって、確実に試験片回収口７に導かれて試験片回収ボックス８内に落下する。
【００２６】
【発明の効果】
以上のように、本発明によれば、曲げポンチとともに上下動する飛散防止カバー内で、一対の曲げ試験の外側に位置する揺動自在の一対の試験片収集板を配置し、その各試験片収集板には、曲げ支点の外側に広がりを持つ横板部と、その外側端部に立ち上がる立ち上がり部とを有したものとし、曲げ試験を行った後の試験片なしいはその破断片の飛散方向を飛散防止カバーと各試験片収集板によって規制して当該各試験片収集板の横板部上に落下させるとともに、曲げポンチの上昇時に試験片収集板を揺動させて各横板部を傾斜させ、その上に載っている試験済みの試験片ないしは破断片を確実に試験片回収口に導くことができる。
【００２７】
従って、本発明によれば、試験片を曲げ支点上に搬送する搬送装置との併用により、長時間にわたって無人運転を行うことのできる自動曲げ試験機を得ることができる。
【図面の簡単な説明】
【図１】本発明の実施の形態の要部構成を示す部分断面図である。
【図２】図１のＡ−Ａ断面図である。
【図３】本発明の実施の形態において曲げポンチ３が上昇した状態を示す要部構成図である。
【図４】従来の曲げ試験機の要部構成を示す部分断面図である。
【符号の説明】
１ａ，１ｂ  曲げ支点
２  テーブル
３  曲げポンチ
４  クロスヘッド
５  ロードセル
６  飛散防止カバー
７  試験片回収口
８  試験片回収ボックス
９ａ，９ｂ  試験片収集板
９０ａ，９０ｂ  ピン
９１ａ，９１ｂ  横板部
９２ａ，９２ｂ  立ち上がり部
１１ａ，１１ｂ  収集板持ち上げシリンダ
１２ａ，１２ｂ  戻しばね
Ｗ  試験片
【図１】
0003765269.tif 000002
【図２】
0003765269.tif 000003
【図３】
0003765269.tif 000004
【図４】
0003765269.tif 000005